(57)【要約】      （修正有）【課題】情報家電製品に挿抜し、情報家電製品の動作状態について、可変可能メッセージにより、連携する情報管理システムに送出する機能を有効に働かせることができる情報通信装置を提供する。【解決手段】接触型接続部６を介し接続された情報家電製品４から、動作状態を示すコード１６と動作日時を示すコード１７を制御信号として取得し、可変可能な記録領域７に記録された画像とテキストを有するファイルに日時データを付与し、無線通信部１０により、外部サーバ９に送信するコントローラ８を備え、かつ情報家電製品４からの給電により実施する。【選択図】図２
2013211769.tif 000002
【特許請求の範囲】
【請求項１】
接触型接続部を介し接続された情報家電製品から、動作状態を示すコードと動作日時を示すコードを制御信号として取得し、可変可能な記録領域に記録された画像とテキストを有するファイルに日時データを付与し、無線通信部により、外部サーバに送信するコントローラを備え、かつ情報家電製品からの給電により実施することを特徴とする情報通信装置。
【発明の詳細な説明】
【技術分野】
【０００１】
本発明は、家庭内にある情報家電機器、ヘルスケア機器、住宅設備機器（以下では、情報家電機器及び住宅設備機器を併せて情報家電機器と呼ぶ；なお、特許請求の範囲での「情報家電機器」の用語も同様である）などに連携させる情報家電連携システムに関する。
【背景技術】
【０００２】
近年、情報家電製品などのメッセージングとして情報通信網を介してインターネットサービスに情報を通知する情報家電連携システムの研究、開発が盛んになってきている（特許文献１参照）。
【０００３】
従来の情報家電連携システムでは、情報家電機器間を連携するために、民間団体の標準により機器が互いに提供する機能を予め決められているか（非特許文献１参照）、あるいは、機器の相互連携でできることの設定が予め機器に組み込まれ、無線、有線などの通信によって、情報家電からインターネットサービスなどにメンテナンスや動作情報を送信する。
【０００４】
図１は、情報家電製品の従来の実施方法を表すための説明図であって、１はメッセージ通知を行うコントローラー、２はメッセージデータを格納する記録領域、３はインターネットサービスに情報を通知する通信部を表す。
【０００５】
情報家電製品がインターネットサービスにメッセージを通知するためには、１の計算装置が２の記録領域のメッセージデータを取得し、３の通信部から、インターネットサービスへの通信する必要があった。  
【先行技術文献】
【特許文献】
【０００６】
【特許文献１】特開２００３−２０９８９２号公報
【非特許文献】
【０００７】
【非特許文献１】ＨＡＶｉ（Ｓｐｅｃｉｆｉｃａｔｉｏｎ ｏｆ ｔｈｅ Ｈｏｍｅ Ａｕｄｉｏ／Ｖｉｄｅｏ Ｉｎｔｅｒｏｐｅｒａｂｉｌｉｔｙ Ａｒｃｈｉｔｅｃｔｕｒｅ） ｈｔｔｐ：／／ｗｗｗ．ｈａｖｉ．ｏｒｇ、ＥＣＨＯＮＥＴ ＣＯＮＳＯＲＴＩＵＭ ｈｔｔｐ：／／ｅｃｈｏｎｅｔ．ｇｒ．ｊｐ
【発明の概要】
【発明が解決しようとする課題】
【０００８】
しかしながら、前述したような従来技術において情報家電製品からのメッセージを取得するためには、ユーザは、機器側からインターネットサービスにメッセージを通知するために必要な設定を、パソコンなどの計算機器を同一の通信ネットワークに設定したうえで変更しなくてはならず、設定が容易ではない欠点があった。
【０００９】
また、通知メッセージは、２の記録領域に登録された言語データを利用し、利用者は言語データの中から自分に適した言語を選択することができても、２の記録領域内のメッセージデータを変更することはさらに容易ではない欠点があった。具体的には、不必要なメッセージまでも通知したり、メッセージが技術的で子供や高齢者には変わりにくく、メッセージの重要性が伝わりにくいなどの問題があった。
【００１０】
これは、例えば、子供が誤って機器の操作をおこなった際、わかりやすいメッセージを通知したいといった要望に対し、事前に通知するメッセージを予約しておくことを意味する。
【００１１】
本発明は、これらに鑑みてなされたものであり、その目的とするところは、情報家電製品に挿抜可能なる情報通知装置にある。図２はこの方法による情報通知装置の実施方法を示すための説明図であって、４は情報家電装置、５は情報通知装置、６は通信と給電を行う接触型通信部、７はメッセージの定形データを格納する記録領域、８は接触型通信部からのデータをメッセージに変換するコントローラ、９はメッセージを管理するサーバ、１０は９のサーバにメッセージを送信する無線通信部を表す。６の接触型通信部、７の記録領域、８のコントローラ、１０の無線通信部は、５の情報通知装置内に実装される。また １１は４の情報家電製品内にあって、６の接触型通信部を通じ５の情報通知装置に信号送出手段を備えるコントローラを表す。
【００１２】
図３は、５の情報通知装置から９のサーバに送出するメッセージデータを、７の記録領域内のデータを書き換える実装形態を示す図であって、１３はパソコンなどの計算装置を表す。
【００１３】
図４は、９のサーバの実装形態を示すための説明図であって、１４はスマートフォンやパソコン、リモコンなどの計算装置を表し、情報通信網１２を介し、ユーザは、情報家電製品からのメッセージを、１４の計算装置によって取得することができる。
【課題を解決するための手段】
【００１４】
前記目的を達成するために、本発明の第１の態様では、４の情報家電製品の動作やメンテナンス状態及び日時示すものを第１のパラメータとして、１１のコントローラーにより第１のパラメータを制御信号として６の接触型通信部に送出手段を備えることを特徴とする情報家電製品が提供される。
【００１５】
本発明の第２の態様では、情報通信網１２を介して９のサーバに送出するメッセージを第２のパラメータとして、５の情報通知装置を４の情報家電製品に接続し、６の接触型通信部に送出された前記制御信号と電源供給によって、第２のパラメータを生成する８のコントローラを備えることを更に特徴とする情報通知装置が提供される。
【００１６】
本発明の第３の態様では、事前に５の情報通知装置を６の接触型通信部を介し１３の計算装置に接続し、７の記録領域においてテキストデータと画像データを有するファイルをユーザが生成、削除、変更するステップと、５の情報通知装置を６の接触型通信部を介し４の情報家電製品に接続し、前記制御信号から８のコントローラが、第２のパラメータを生成するか、生成しないか、または第２のパラメータのテキストや画像を変更するステップを有することを特徴とする情報機器管理方法が提供される。
【００１７】
本発明の第４の態様では、５の情報通知装置の１０の無線通信部から、９のサーバに、送出された第２のパラメータ内のテキストと画像データを、１４の計算装置に送出することを特徴とする情報機器管理方法が提供される。
【発明の効果】
【００１８】
本発明の第１の態様では、情報家電製品は、メッセージ通知を制御信号により送出できるため、製品開発及び部品数を削減しやすいので、製品メーカが実装しやすいという利点がある。
【００１９】
本発明の第２の態様では、本発明の情報通知装置は、接触型通信部を有するため、情報家電製品に挿抜することができるので、ユーザはメッセージを送出する情報家電製品を使い分けられるという利点がある。  
【００２０】
本発明の第３の態様では、本発明の情報通知装置は、パソコンなどの計算装置に接続すると、外部記録領域として認識できるため、情報通知装置内のデータを変更できるので、ユーザは情報家電製品からのメッセージをカスタマイズしやすいという利点がある。
【００２１】
本発明の第４の態様では、本発明の情報通知装置は、画像とテキストを含むデータを送出することができるため、情報通信網を介しデータを受け取ったサーバは、画像とテキストにより情報家電製品からのメッセージをユーザが用いる計算装置に表示することができるので、ユーザはメッセージの内容を理解しやすいという利点がある。
【図面の簡単な説明】
【００２２】
【図１】図１は従来の情報家電製品による一連の動作を説明するフローチャートである。
【図２】図２は本発明の第１と第２の実施の形態にかかる情報家電製品と情報通知装置による一連の動作を説明するフローチャートである。（実施例１）
【図３】図３は本発明の第３の実施の形態にかかる情報通知装置と計算装置による一連の動作を説明するフローチャートである。（実施例２）
【図４】図４は本発明の第３の実施の形態にかかる情報通知装置とサーバによる一連の動作を説明するフローチャートである。（実施例３）
【発明を実施するための形態】
【００２３】
情報家電製品からメッセージを送出するという目的を、最少の制御信号で、情報家電製品の最少の部品点数により実現した。
【実施例１】
【００２４】
図２は、本発明装置の第１と第２の実施例のフローチャート図であって、１５は４の情報家電製品の１１のコントローラーから６の接触型通信部に送出する制御信号の例を表す。１５の制御信号は４の情報家電製品の動作状態を示すコード１６と動作日時を示すコード１７により構成する。
【００２５】
５の情報通信装置は、８のコントローラにより６の接触型通信部から受け取った制御信号からコード１６とコード１７に分離し、７の記録領域内のコード１６に該当するファイルを複製し、テキストデータとしてコード１７の動作日時データを埋め込んだ画像ファイルを１０の無線通信部から、情報通信網１２を介し、９のサーバに送出する機構である。
【実施例２】
【００２６】
図３は、本発明装置の第３の実施例のフローチャート図であって、５の情報通知装置を６の接触型通信部を介し１３の計算装置に接続し、７の記録領域内のテキストデータと画像データを有するファイル１８−１、ファイル１８−２、ファイル１８−Nをユーザが生成、削除、変更する例を表す。
【００２７】
ユーザは４の情報家電製品のメーカがインターネット上で配布するファイル１８ー１、ファイル１８−２、ファイル１８−Nを入手し、７の記録領域に保存し、５の情報通信装置を４の情報家電製品に接続することにより、４の情報家電製品の状態に応じて、９のサーバに、ファイル１８−１、ファイル１８−２、ファイル１８−Nに有する画像とテキストが送出される。またユーザが７の記録領域からファイル１８−１を削除した場合は、ファイル１８−１は、９のサーバに送出されることがない。更に、ユーザが７の記録領域のファイル１８−２の画像及びテキストを変更した場合、９のサーバに、ファイル１８−２に対し変更された画像とテキストが送出される。
【実施例３】
【００２８】
図４は、本発明装置の第４の実施例のフローチャート図であって、情報通信網１２を介し、ユーザは、情報家電製品からのメッセージを、９のサーバから１４の計算装置もしくはその他のサーバに送出する。
【００２９】
本発明の主体は情報通信装置の実装方法にあるので、９のサーバ及び１４の計算装置の実施についての説明は省略する。
【産業上の利用可能性】
【００３０】
情報家電製品に取り付けた情報配信装置を用いて、情報通信網を介しインターネットサービスや、家庭内の情報管理システムなどに容易にメッセージを送出することができ、機器からのメッセージングを必要とする全ての用途にも適用できる。
【符号の説明】
【００３１】
１    既存の情報家電製品のコントローラー
２    既存のメッセージデータを格納する記録領域
３    インターネットサービスに情報を通知する既存の通信部
４    情報家電装置
５    情報通知装置
６    ５の情報通知装置内に有する接触型通信部
７    ５の情報通知装置内に有するメッセージの定形データを格納する記録領域
８    ５の情報通知装置内に有するコントローラ
９    メッセージを管理するサーバ
１０  ５の情報通知装置内に有する無線通信部
１１  ４の情報家電製品内に有し信号送出手段を備えるコントローラ
１２  情報通信網
１３  ５の情報通知装置に接続する計算装置
１４  ９のサーバからメッセージを取得する計算装置
１５  制御信号の例
１６  情報家電製品の動作状態を示すコード
１７  動作日時を示すコード
１８−１、１８−２、１８−N  ファイル
【図１】
2013211769.tif 000003
【図２】
2013211769.tif 000004
【図３】
2013211769.tif 000005
【図４】
2013211769.tif 000006